(57)【要約】【課題】  電力を消費せずに、開度調整が可能な扉を含む風力発電装置などを提供する。【解決手段】  風力発電装置１は、鉛直方向に延びる軸１１周りに回転する風車１０を備える。風車１０の回転に基づいて発電を行う発電機２０を備える。風車１０の側部を覆い、鉛直方向に延びる回転軸周りに回転可能な状態で保持される複数の扉（３４ａ〜３４ｈ）を有する風導入装置３０を備える。風導入装置３０における複数の扉の間を介して、風導入装置３０の外側から風車１０に風が吹き込むものであり、複数の扉のそれぞれの開度は、風導入装置３０の外側からの風の強さによって変動するものであり、複数の扉のそれぞれには、開度が大きくなる方向に付勢する弾性部材と弾性部材の振動を減衰させる減衰機構を含む開度維持部（３５ａ〜３５ｈ）が設けられる。【選択図】図１
2017020348.tif 000002
【特許請求の範囲】
【請求項１】
鉛直方向に延びる軸周りに回転する風車と、
前記風車の回転に基づいて発電を行う発電機と、
前記風車の側部を覆い、鉛直方向に延びる回転軸周りに回転可能な状態で保持される複数の扉を有する風導入装置とを備え、
前記風導入装置における前記複数の扉の間を介して、前記風導入装置の外側から前記風車に風が吹き込むものであり、
前記複数の扉のそれぞれの開度は、前記風導入装置の外側からの風の強さによって変動するものであり、
前記複数の扉のそれぞれには、前記開度が大きくなる方向に付勢する弾性部材と前記弾性部材の振動を減衰させる減衰機構を含む開度維持部が設けられることを特徴とする風力発電装置。
【請求項２】
前記風導入装置は、下面部と、前記下面部と鉛直方向で対向する上面部とを有し、
前記下面部と前記上面部は、前記複数の扉を回転可能な状態で挟持するものであり、
前記上面部は、前記複数の扉の間を介して、前記風導入装置の外側から前記風車に吹き込んだ風を排出するために使用される開口部を有するものであり、
前記下面部と前記上面部の少なくとも一方は、前記複数の扉のそれぞれについて、前記開度が大きい状態で接する回転止めと、前記開度が小さい状態で接する回転止めを有するものであり、
前記複数の扉の回転軸は、上から見て、第１の円の上に配置され、
前記開度が大きい状態で接する回転止めと、前記開度が小さい状態で接する回転止めは、上から見て、前記第１の円よりも外側に位置する第２の円の上に配置されることを特徴とする請求項１に記載の風力発電装置。
【請求項３】
前記複数の扉における１つの扉について、前記開度が大きい状態で接する回転止めは、前記複数の扉における前記１つの扉と隣に位置する扉について、前記開度が小さい状態で接する回転止めとして使用されることを特徴とする請求項２に記載の風力発電装置。
【請求項４】
前記下面部は、第１底部と前記第２底部とを有し、
前記第１底面部と前記第２底面部は、前記風車の回転軸のシャフトカバーの一部を水平方向で挟む位置関係に配置されることを特徴とする請求項２に記載の風力発電装置。
【請求項５】
前記下面部は、前記複数の扉の間を介して、前記風導入装置の外側から前記風車に吹き込んだ風を排出するために使用される通気孔が設けられることを特徴とする請求項２に記載の風力発電装置。
【請求項６】
直線翼を有し、前記直線翼の上端部と下端部が前記風車の軸の方向に曲げたものが、前記風車の羽根として使用されることを特徴とする請求項５に記載の風力発電装置。
【請求項７】
前記複数の扉のそれぞれには、前記風車の軸の径方向に延び、前記径方向に移動可能な状態で、保持される制動部材が設けられ、
前記制動部材は、前記複数の扉における前記制動部材に対応するものについて、前記開度が大きい状態の時は、前記複数の扉における前記制動部材に対応するものや前記軸と接触せず、前記開度が小さい状態の時は、前記複数の扉における前記制動部材に対応するものや前記軸と接触することを特徴とする請求項１に記載の風力発電装置。
【請求項８】
前記風導入装置は、一方の端部が、前記複数の扉における１つの扉と接続され、他方の端部が、前記１つの扉の隣に位置する扉と接続され、前記一方の端部と前記他方の端部を結ぶ直線距離が一定範囲内で変動可能な構造を有する連結部材を有することを特徴とする請求項１に記載の風力発電装置。
【請求項９】
風力発電のために鉛直方向に延びる軸周りに回転する風車の側部を覆い、鉛直方向に延びる回転軸周りに回転可能な状態で保持される複数の扉を有する風導入装置であって、
前記風導入装置における前記複数の扉の間を介して、前記風導入装置の外側から前記風車に風が吹き込むものであり、
前記複数の扉のそれぞれの開度は、前記風導入装置の外側からの風の強さによって変動するものであり、
前記複数の扉のそれぞれには、前記開度が大きくなる方向に付勢する弾性部材と前記弾性部材の振動を減衰させる減衰機構を含む開度維持部が設けられることを特徴とする風力発電における風導入装置。
【請求項１０】
下面部と、前記下面部と鉛直方向で対向する上面部とを有し、
前記下面部と前記上面部は、前記複数の扉を回転可能な状態で挟持するものであり、
前記上面部は、前記複数の扉の間を介して、前記風導入装置の外側から前記風車に吹き込んだ風を排出するために使用される開口部を有するものであり、
前記下面部と前記上面部の少なくとも一方は、前記複数の扉のそれぞれについて、前記開度が大きい状態で接する回転止めと、前記開度が小さい状態で接する回転止めを有するものであり、
前記複数の扉の回転軸は、上から見て、第１の円の上に配置され、
前記開度が大きい状態で接する回転止めと、前記開度が小さい状態で接する回転止めは、上から見て、前記第１の円よりも外側に位置する第２の円の上に配置されることを特徴とする請求項９に記載の風導入装置。
【発明の詳細な説明】
【技術分野】
【０００１】
本発明は、風力発電装置における風導入装置に関する。
【背景技術】
【０００２】
従来、特許文献１のように、風車の回転数に応じて開閉板（扉）の開度を調整することが可能な風車覆体（風導入装置）が提案されている。
【先行技術文献】
【特許文献】
【０００３】
【特許文献１】特開２００３−１０６２４９号公報
【発明の概要】
【発明が解決しようとする課題】
【０００４】
しかし、扉の開度調整に電力を消費する。
【０００５】
したがって本発明の目的は、電力を消費せずに、開度調整が可能な扉を含む風力発電装置などを提供することである。
【課題を解決するための手段】
【０００６】
本発明に係る風力発電装置は、鉛直方向に延びる軸周りに回転する風車と、風車の回転に基づいて発電を行う発電機と、風車の側部を覆い、鉛直方向に延びる回転軸周りに回転可能な状態で保持される複数の扉を有する風導入装置とを備え、風導入装置における複数の扉の間を介して、風導入装置の外側から風車に風が吹き込むものであり、複数の扉のそれぞれの開度は、風導入装置の外側からの風の強さによって変動するものであり、複数の扉のそれぞれには、開度が大きくなる方向に付勢する弾性部材と弾性部材の振動を減衰させる減衰機構を含む開度維持部が設けられる。
【０００７】
風導入装置の外側から、風導入装置の内側に向かって吹く風の風速が所定の値以下の場合は、当該風が扉を押す力が、開度維持部に設けられた弾性部材の付勢力を下回るので、複数の扉は、いずれも開度が大きい状態で維持される。
この場合、複数の扉に殆ど邪魔されずに、風が風車に送られる。
【０００８】
風導入装置の外側から、風導入装置の内側に向かって吹く風の風速が所定の値よりも大きい場合は、複数の扉のうち、風が当たる部分のものは、当該風が扉を押す力が、弾性部材の付勢力を上回るので、開度が小さくなる方向に回転移動する。
開度が小さくなった扉は、風車に向かって吹く風を遮る。
開度が小さくなった扉と当該扉の隣の扉の間から、風は入ってくるが、扉のいずれかの部分に衝突して風速が落ちるため、強風により風車が破損するのを防止出来る。
【０００９】
また、電気部品を用いずに、弾性部材や減衰機構を使って、風の強さに応じた扉の開度調整を行うため、扉の開閉に電力を消費せずに済む。
【００１０】
また、開度維持部には弾性部材に加えて減衰機構が設けられているため、突風などで、急激に扉を回転させる力を受けても、衝撃を和らげることが出来るため、回転止めなどの破損を防止することも出来る。
【００１１】
好ましくは、風導入装置は、下面部と、下面部と鉛直方向で対向する上面部とを有し、下面部と上面部は、複数の扉を回転可能な状態で挟持するものであり、上面部は、複数の扉の間を介して、風導入装置の外側から風車に吹き込んだ風を排出するために使用される開口部を有するものであり、下面部と上面部の少なくとも一方は、複数の扉のそれぞれについて、開度が大きい状態で接する回転止めと、開度が小さい状態で接する回転止めを有するものであり、複数の扉の回転軸は、上から見て、第１の円の上に配置され、開度が大きい状態で接する回転止めと、開度が小さい状態で接する回転止めは、上から見て、第１の円よりも外側に位置する第２の円の上に配置される。
【００１２】
扉の回転軸よりも外側に回転止めが配置されるため、強い風が当たっても、開度が大きい状態の時に接する回転止め、若しくは開度が小さい状態の時に接する回転止めのいずれかに扉が接するので、回転止めが外側に設けられない形態に比べて、当該扉が壊れにくい。
【００１３】
さらに好ましくは、複数の扉における１つの扉について、開度が大きい状態で接する回転止めは、複数の扉における１つの扉と隣に位置する扉について、開度が小さい状態で接する回転止めとして使用される。
【００１４】
１つの回転止めを、１つの扉について開度が大きい状態で接する回転止めとして使用し、当該１つの扉の隣に位置する扉について開度が小さい状態で接する回転止めとして使用することが出来るので、別々の回転止めを使用する形態に比べて、部品点数を少なくして、構造を簡素化することが可能になる。
【００１５】
また、好ましくは、下面部は、第１底部と第２底部とを有し、第１底面部と第２底面部は、風車の回転軸のシャフトカバーの一部を水平方向で挟む位置関係に配置される。
【００１６】
複数の部材（第１底部と第２底部）で構成された下面部を風車の下部に設置し、その上に複数の扉を設置し、その上に上面部を設置して、風車を囲むように風導入装置を組み立てることが出来る。
このため、既に設置済みの風力発電システムに、風導入装置を後から簡単に設置することが可能になる。
【００１７】
また、好ましくは、下面部は、複数の扉の間を介して、風導入装置の外側から風車に吹き込んだ風を排出するために使用される通気孔が設けられる。
【００１８】
上面部だけでなく、下面部も開口することにより、側面から吹き込んだ風がスムーズに排出されやすいメリットがある。
【００１９】
さらに好ましくは、直線翼を有し、直線翼の上端部と下端部が風車の軸の方向に曲げたものが、風車の羽根として使用される。
【００２０】
下面部の開口（通気孔）から流入する風によって、側面から吹き込んだ風が、上面部の開口部から排出されやすくなる。
【００２１】
また、好ましくは、複数の扉のそれぞれには、風車の軸の径方向に延び、径方向に移動可能な状態で、保持される制動部材が設けられ、制動部材は、複数の扉における制動部材に対応するものについて、開度が大きい状態の時は、複数の扉における制動部材に対応するものや軸と接触せず、開度が小さい状態の時は、複数の扉における制動部材に対応するものや軸と接触する。
【００２２】
扉の開度が大きい状態では、扉が制動部材に接触しないので、制動部材は軸に接触せず、軸の回転を妨げない。
扉の開度が小さい状態では、扉が制動部材に接触し、扉が制動部材を軸の径方向で中心に向かって押し込み、これにより押し込まれた制動部材は軸に接触して、軸の回転を抑制する。
これにより、強い風が扉と扉の間から入り込み、扉の開度を小さくなっても風車の回転速度が高くなった場合に、制動部材がブレーキとして機能し、当該回転速度を低くして、風車の破損を防止出来る。
【００２３】
また、電気部品を用いずに、扉の開閉により動作制御される制動部材を使って、風車の回転抑制を行うため、当該回転抑制に電力を消費せずに済む。
【００２４】
また、好ましくは、風導入装置は、一方の端部が、複数の扉における１つの扉と接続され、他方の端部が、１つの扉の隣に位置する扉と接続され、一方の端部と他方の端部を結ぶ直線距離が一定範囲内で変動可能な構造を有する連結部材を有する。
【００２５】
これにより、強風が当たる側における開度を小さくする扉の数を多くすることが出来、強風により風車が破損するのを防止出来る。
また、この場合でも、強風が当たらない側の扉については、開度が大きい状態が維持され、風導入装置を介して風車へ風の導入が行われ、強風下でも発電を続けることが出来る。
【００２６】
また、電気部品を用いずに、連結部材を使って、風の強さに応じた扉の開度調整を行うため、扉の開閉に電力を消費せずに済む。
【００２７】
本発明に係る風力発電装置における風導入装置は、風力発電のために鉛直方向に延びる軸周りに回転する風車の側部を覆い、鉛直方向に延びる回転軸周りに回転可能な状態で保持される複数の扉を有する風導入装置であって、風導入装置における複数の扉の間を介して、風導入装置の外側から風車に風が吹き込むものであり、複数の扉のそれぞれの開度は、風導入装置の外側からの風の強さによって変動するものであり、複数の扉のそれぞれには、開度が大きくなる方向に付勢する弾性部材と弾性部材の振動を減衰させる減衰機構を含む開度維持部が設けられる。
【００２８】
好ましくは、下面部と、下面部と鉛直方向で対向する上面部とを有し、下面部と上面部は、複数の扉を回転可能な状態で挟持するものであり、上面部は、複数の扉の間を介して、風導入装置の外側から風車に吹き込んだ風を排出するために使用される開口部を有するものであり、下面部と上面部の少なくとも一方は、複数の扉のそれぞれについて、開度が大きい状態で接する回転止めと、開度が小さい状態で接する回転止めを有するものであり、複数の扉の回転軸は、上から見て、第１の円の上に配置され、開度が大きい状態で接する回転止めと、開度が小さい状態で接する回転止めは、上から見て、第１の円よりも外側に位置する第２の円の上に配置される。
【発明の効果】
【００２９】
以上のように本発明によれば、電力を消費せずに、開度調整が可能な扉を含む風力発電装置などを提供することができる。
【図面の簡単な説明】
【００３０】
【図１】本実施形態における風力発電装置の組み立て前の各部を示す斜視図である。
【図２】風車を取り付けた土台に、下面部が取り付けられた状態の斜視図である。
【図３】下面部に８つの扉が取り付けられ、上面部が取り付けられる前の状態の上面図である。
【図４】下面部に８つの扉が取り付けられ、上面部が取り付けられる前の状態の斜視図である。
【図５】開度が大きい状態における、第１扉と第１上部回転止めと第８上部回転止めと、第１開度維持部の位置関係を示す斜視図である。
【図６】風車に風導入装置が取り付けられた状態の斜視図である。
【図７】風車に風導入装置が取り付けられた状態の斜視図で、内部構造を見せるために、上面図が透明な部材で構成された場合のものである。
【図８】図３の状態から、第４扉〜第６扉の開度が小さくなった状態の上面図である。
【図９】図６の状態から、第４扉〜第６扉の開度が小さくなった状態の斜視図である。
【図１０】図７の状態から、第４扉〜第６扉の開度が小さくなった状態の斜視図である。
【図１１】開度が小さい状態における、第１扉と第１上部回転止めと第８上部回転止めと、第１開度維持部の位置関係を示す斜視図である。
【図１２】開度が大きい状態における、第１扉と第１上部回転止めと第８上部回転止めと、弾性部材としてコイルバネが使用された第１開度維持部の位置関係を示す斜視図である。
【図１３】開度が小さい状態における、第１扉と第１上部回転止めと第８上部回転止めと、弾性部材としてコイルバネが使用された第１開度維持部の位置関係を示す斜視図である。
【図１４】下面部に８つの扉が取り付けられ、８つの扉にシリンダーとピストンで構成された連結部材が取り付けられ、上面部が取り付けられる前の状態の上面図である。
【図１５】図１４の状態から、第３扉〜第７扉の開度が小さくなった状態の上面図である。
【図１６】下面部に８つの扉が取り付けられ、８つの扉に紐状部材で構成された連結部材が取り付けられ、上面部が取り付けられる前の状態の上面図である。
【図１７】下面部に第１制動部材〜第８制動部材が取り付けられ、開度が大きい状態で第４扉が取り付けられた状態の斜視図である。
【図１８】下面部に第１制動部材〜第８制動部材が取り付けられ、開度が小さい状態で第４扉が取り付けられ、第４制動部材が風車の軸と接触した状態の斜視図である。
【図１９】下面部に通気孔や脚部（土台に取り付けられるもの）が設けられた形態における風力発電装置の組み立て前の各部を示す斜視図である。
【図２０】風車を取り付けた土台に、通気孔や脚部（土台に取り付けられるもの）が設けられた下面部が取り付けられた状態の斜視図である。
【図２１】下面部に通気孔や脚部（シャフトカバーに取り付けられるもの）が設けられ、上面部と接続する上部シャフトカバーが設けられた形態における風力発電装置の組み立て前の各部を示す斜視図である。
【図２２】風車に風導入装置（下面部に通気孔やシャフトカバーに取り付けられる脚部が設けられ、上部シャフトカバーが設けられたもの）が取り付けられた状態の斜視図で、第２扉３４ｂと第２開度維持部３５ｂを省略したものである。
【図２３】開度が小さい状態における、第１扉と第１上部回転止めと第８上部回転止めと、弾性部材としてねじりバネが使用された第１開度維持部の位置関係を示す斜視図である。
【発明を実施するための形態】
【００３１】
以下、本実施形態について、図を用いて説明する（図１参照）。
【００３２】
本実施形態における風力発電装置１は、風車１０、発電機２０、風導入装置３０を備える。
【００３３】
風車１０は、風を羽根車で受けて回転する直線翼垂直軸風車で、鉛直方向に延びる軸１１を中心にして、軸１１も一緒に回転する。
本実施形態では、３つの羽根車を有する垂直軸風車を例に挙げたが、羽根車の数は、３つに限るものではない。
軸１１は、鉛直方向に延び、土台５０に取り付けられたシャフトカバー１３で覆われ、シャフトカバー１３や土台５０が、ボールベアリングなどの軸受けを介して、軸１１を回転可能な状態で保持する。
軸１１は、発電機２０と接続され、発電機２０は、軸１１の回転力に基づいて発電する。
本実施形態では、風車１０の羽根として、直線翼の上端部と下端部を軸１１の方向に曲げたものを使用する形態を説明するが、風車の羽根の形状はこれに限るものではない。
【００３４】
発電機２０は、軸１１と直接的に接続される形態だけでなく、動力伝達機構（不図示）を介して、間接的に接続される形態であってもよい。
また、発電機２０は、土台５０に内蔵される形態であってもよい。
【００３５】
風導入装置３０は、土台５０の上面に配置される下面部３１（第１底部３１ａ、第２底部３１ｂ）、風車１０の側部を覆い、鉛直方向に延びる回転軸周りに回転可能な状態で保持され、外部からの風の強さによって開度が変動する８つの扉（開き戸、第１扉３４ａ〜第８扉３４ｈ）と、風車１０や８つの扉（第１扉３４ａ〜第８扉３４ｈ）の上部を覆う上面部４１を有する。
【００３６】
また、８つの扉のそれぞれには、当該８つの扉における、開度（開き角度）が大きくなる方向に付勢する開度維持部３５（第１開度維持部３５ａ〜第８開度維持部３５ｈ）が設けられる。
【００３７】
第１扉３４ａは、上面から見た時に、軸１１から延び第１扉３４ａの回転軸を通る線に平行に近い状態（当該線とのなす角度が小さい状態）にされた時に、開度が大きい状態になり、当該線とのなす角度が大きい状態にされた時に、開度が小さい状態となる。
第２扉３４ｂは、上面から見た時に、軸１１から延び第２扉３４ｂの回転軸を通る線に平行に近い状態（当該線とのなす角度が小さい状態）にされた時に、開度が大きい状態になり、当該線とのなす角度が大きい状態にされた時に、開度が小さい状態となる。
第３扉３４ｃは、上面から見た時に、軸１１から延び第３扉３４ｃの回転軸を通る線に平行に近い状態（当該線とのなす角度が小さい状態）にされた時に、開度が大きい状態になり、当該線とのなす角度が大きい状態にされた時に、開度が小さい状態となる。
第４扉３４ｄは、上面から見た時に、軸１１から延び第４扉３４ｄの回転軸を通る線に平行に近い状態（当該線とのなす角度が小さい状態）にされた時に、開度が大きい状態になり、当該線とのなす角度が大きい状態にされた時に、開度が小さい状態となる。
【００３８】
第５扉３４ｅは、上面から見た時に、軸１１から延び第５扉３４ｅの回転軸を通る線に平行に近い状態（当該線とのなす角度が小さい状態）にされた時に、開度が大きい状態になり、当該線とのなす角度が大きい状態にされた時に、開度が小さい状態となる。
第６扉３４ｆは、上面から見た時に、軸１１から延び第６扉３４ｆの回転軸を通る線に平行に近い状態（当該線とのなす角度が小さい状態）にされた時に、開度が大きい状態になり、当該線とのなす角度が大きい状態にされた時に、開度が小さい状態となる。
第７扉３４ｇは、上面から見た時に、軸１１から延び第７扉３４ｇの回転軸を通る線に平行に近い状態（当該線とのなす角度が小さい状態）にされた時に、開度が大きい状態になり、当該線とのなす角度が大きい状態にされた時に、開度が小さい状態となる。
第８扉３４ｈは、上面から見た時に、軸１１から延び第８扉３４ｈの回転軸を通る線に平行に近い状態（当該線とのなす角度が小さい状態）にされた時に、開度が大きい状態になり、当該線とのなす角度が大きい状態にされた時に、開度が小さい状態となる。
【００３９】
本実施形態では、風導入装置３０が、複数の扉として、８つの扉を有する形態を説明するが、扉の数は、これに限るものではない。
【００４０】
下面部３１は、略半円形状の第１底部３１ａと第２底部３１ｂで構成され、第１底部３１ａと第２底部３１ｂは、シャフトカバー１３の一部を水平方向で挟むように、土台５０若しくはシャフトカバー１３に取り付けられる（図２参照）。
ただし、土台５０に、第１下孔３２ａなどが設けられ、土台５０を下面部３１として用いる形態であってもよい。この場合は、第１底部３１ａと第２底部３１ｂのように、下面部３１に相当する土台５０を複数に分ける必要はない。
【００４１】
下面部３１は、８つの扉（第１扉３４ａ〜第８扉３４ｈ）のそれぞれの回転軸の下端が挿入され、当該８つの扉（第１扉３４ａ〜第８扉３４ｈ）のそれぞれを回転自在に保持する下孔（第１下孔３２ａ〜第８下孔３２ｈ）と、当該８つの扉（第１扉３４ａ〜第８扉３４ｈ）の回転範囲を制限する下部回転止め（第１下部回転止め３３ａ〜第８下部回転止め３３ｈ）を有する。
【００４２】
第１下孔３２ａ〜第８下孔３２ｈは、第１底部３１ａと第２底部３１ｂが繋がった状態で形成される円盤における軸１１と同心の第１の円ｃ１の上に、等間隔に配置される（図３参照）。
なお、下面部３１を貫通する下孔（第１下孔３２ａ〜第８下孔３２ｈ）に代えて、下面部３１の上面に凹みを設け、当該凹みに、第１扉３４ａ〜第８扉３４ｈの回転軸の下端が挿入される形態であってもよい。
【００４３】
第１下部回転止め３３ａ〜第８下部回転止め３３ｈは、第１底部３１ａと第２底部３１ｂが繋がった状態で形成される円盤における軸１１と同心の円であって、第１下孔３２ａ〜第８下孔３２ｈよりも外側に位置するものの上に、等間隔に配置される。
扉の回転軸よりも外側に回転止めが配置されるため、強い風が当たっても、開度が大きい状態の時に接する回転止め、若しくは開度が小さい状態の時に接する回転止めのいずれかに扉が接するので、回転止めが外側に設けられない形態に比べて、当該扉が壊れにくい。
【００４４】
本実施形態では、第１底部３１ａと第２底部３１ｂが繋がった状態で形成される円盤の外形を形成する第２の円ｃ２上に、第１下部回転止め３３ａ〜第８下部回転止め３３ｈが配置される。
【００４５】
第１下部回転止め３３ａ〜第８下部回転止め３３ｈは、第１底部３１ａや第２底部３１ｂから上方向に突出する形状を有し、隣り合う回転止めの間に配置された扉の回転範囲を制限する。
【００４６】
下部回転止めは、隣に位置する下部回転止めと対向する部分の一方で、開度の大きい状態の扉と接し、隣に位置する下部回転止めと対向する部分の他方で、開度が小さい状態の別の扉と接する（図３、図４参照）。
１つの回転止めを、１つの扉について開度が大きい状態で接する回転止めとして使用し、当該１つの扉の隣に位置する扉について開度が小さい状態で接する回転止めとして使用することが出来るので、別々の回転止めを使用する形態に比べて、部品点数を少なくして、構造を簡素化することが可能になる。
【００４７】
具体的には、第１下部回転止め３３ａは、隣に位置する第８下部回転止め３３ｈと対向する部分で、開度が大きい状態の第１扉３４ａと接し、隣に位置する第２下部回転止め３３ｂと対向する部分で、開度が小さい状態の第２扉３４ｂと接する。
第２下部回転止め３３ｂは、隣に位置する第１下部回転止め３３ａと対向する部分で、開度が大きい状態の第２扉３４ｂと接し、隣に位置する第３下部回転止め３３ｃと対向する部分で、開度が小さい状態の第３扉３４ｃと接する。
第３下部回転止め３３ｃは、隣に位置する第２下部回転止め３３ｂと対向する部分で、開度が大きい状態の第３扉３４ｃと接し、隣に位置する第４下部回転止め３３ｄと対向する部分で、開度が小さい状態の第４扉３４ｄと接する。
第４下部回転止め３３ｄは、隣に位置する第３下部回転止め３３ｃと対向する部分で、開度が大きい状態の第４扉３４ｄと接し、隣に位置する第５下部回転止め３３ｅと対向する部分で、開度が小さい状態の第５扉３４ｅと接する。
【００４８】
第５下部回転止め３３ｅは、隣に位置する第４下部回転止め３３ｄと対向する部分で、開度が大きい状態の第５扉３４ｅと接し、隣に位置する第６下部回転止め３３ｆと対向する部分で、開度が小さい状態の第６扉３４ｆと接する。
第６下部回転止め３３ｆは、隣に位置する第５下部回転止め３３ｅと対向する部分で、開度が大きい状態の第６扉３４ｆと接し、隣に位置する第７下部回転止め３３ｇと対向する部分で、開度が小さい状態の第７扉３４ｇと接する。
第７下部回転止め３３ｇは、隣に位置する第６下部回転止め３３ｆと対向する部分で、開度が大きい状態の第７扉３４ｇと接し、隣に位置する第８下部回転止め３３ｈと対向する部分で、開度が小さい状態の第８扉３４ｈと接する。
第８下部回転止め３３ｈは、隣に位置する第７下部回転止め３３ｇと対向する部分で、開度が大きい状態の第８扉３４ｈと接し、隣に位置する第１下部回転止め３３ａと対向する部分で、開度が小さい状態の第１扉３４ａと接する。
【００４９】
開度が大きい時も開度が小さい時も、風車の回転方向に風がながれるように、本実施形態では上面から見て半時計回り方向に風がながれるように、第１下孔３２ａ〜第８下孔３２ｈと、第１下部回転止め３３ａ〜第８下部回転止め３３ｈの位置関係が決定される。
【００５０】
上面部４１は、略中空円盤形状（ドーナツ型形状）で、８つの扉（第１扉３４ａ〜第８扉３４ｈ）のそれぞれの回転軸の上端が挿入される上孔（第１上孔４２ａ〜第８上孔４２ｈ）と、当該８つの扉（第１扉３４ａ〜第８扉３４ｈ）の回転範囲を制限する上部回転止め（第１上部回転止め４３ａ〜第８上部回転止め４３ｈ）を有する。
上面部４１と下面部３１とで、第１扉３４ａ〜第８扉３４ｈを回転可能な状態で挟持する
８つの扉（第１扉３４ａ〜第８扉３４ｈ）を介して、風導入装置３０の外側から吹き込んだ風は、上面部４１の中空部分を形成する開口部４１ａを介して、排出される。
【００５１】
第１上孔４２ａ〜第８上孔４２ｈは、上面部４１における軸１１と同心の第３の円ｃ３の上に、等間隔に配置される（図５参照）。
なお、上面部４１を貫通する上孔（第１上孔４２ａ〜第８上孔４２ｈ）に代えて、上面部４１の下面に凹みを設け、当該凹みに、第１扉３４ａ〜第８扉３４ｈの回転軸の上端が挿入される形態であってもよい。
【００５２】
第１上部回転止め４３ａ〜第８上部回転止め４３ｈは、上面部４１における軸１１と同心の円であって、第１上孔４２ａ〜第８上孔４２ｈよりも外側に位置するものの上に、等間隔に配置される。
【００５３】
本実施形態では、上面部４１の外形を形成する第４の円ｃ４上に、第１上部回転止め４３ａ〜第８上部回転止め４３ｈが配置される。
【００５４】
第１上部回転止め４３ａ〜第８上部回転止め４３ｈは、上面部４１から下方向に突出する形状を有し、隣り合う回転止めの間に配置された扉の回転範囲を制限する。
【００５５】
上部回転止めは、隣に位置する上部回転止めと対向する部分の一方で、開度の大きい状態の扉と接し、隣に位置する上部回転止めと対向する部分の他方で、開度が小さい状態の別の扉と接する。
【００５６】
具体的には、第１上部回転止め４３ａは、第１下部回転止め３３ａと鉛直方向で対向する位置に配置され、隣に位置する第８上部回転止め４３ｈと対向する部分で、開度が大きい状態の第１扉３４ａと接し、隣に位置する第２上部回転止め４３ｂと対向する部分で、開度が小さい状態の第２扉３４ｂと接する。
第２上部回転止め４３ｂは、第２下部回転止め３３ｂと鉛直方向で対向する位置に配置され、隣に位置する第１上部回転止め４３ａと対向する部分で、開度が大きい状態の第２扉３４ｂと接し、隣に位置する第３上部回転止め４３ｃと対向する部分で、開度が小さい状態の第３扉３４ｃと接する。
第３上部回転止め４３ｃは、第３下部回転止め３３ｃと鉛直方向で対向する位置に配置され、隣に位置する第２上部回転止め４３ｂと対向する部分で、開度が大きい状態の第３扉３４ｃと接し、隣に位置する第４上部回転止め４３ｄと対向する部分で、開度が小さい状態の第４扉３４ｄと接する。
第４上部回転止め４３ｄは、第４下部回転止め３３ｄと鉛直方向で対向する位置に配置され、隣に位置する第３上部回転止め４３ｃと対向する部分で、開度が大きい状態の第４扉３４ｄと接し、隣に位置する第５上部回転止め４３ｅと対向する部分で、開度が小さい状態の第５扉３４ｅと接する。
【００５７】
第５上部回転止め４３ｅは、第５下部回転止め３３ｅと鉛直方向で対向する位置に配置され、隣に位置する第４上部回転止め４３ｄと対向する部分で、開度が大きい状態の第５扉３４ｅと接し、隣に位置する第６上部回転止め４３ｆと対向する部分で、開度が小さい状態の第６扉３４ｆと接する。
第６上部回転止め４３ｆは、第６下部回転止め３３ｆと鉛直方向で対向する位置に配置され、隣に位置する第５上部回転止め４３ｅと対向する部分で、開度が大きい状態の第６扉３４ｆと接し、隣に位置する第７上部回転止め４３ｇと対向する部分で、開度が小さい状態の第７扉３４ｇと接する。
第７上部回転止め４３ｇは、第７下部回転止め３３ｇと鉛直方向で対向する位置に配置され、隣に位置する第６上部回転止め４３ｆと対向する部分で、開度が大きい状態の第７扉３４ｇと接し、隣に位置する第８上部回転止め４３ｈと対向する部分で、開度が小さい状態の第８扉３４ｈと接する。
第８上部回転止め４３ｈは、第８下部回転止め３３ｈと鉛直方向で対向する位置に配置され、隣に位置する第７上部回転止め４３ｇと対向する部分で、開度が大きい状態の第８扉３４ｈと接し、隣に位置する第１上部回転止め４３ａと対向する部分で、開度が小さい状態の第１扉３４ａと接する。
【００５８】
上面部４１と下面部３１とで、第１扉３４ａ〜第８扉３４ｈを回転可能な状態で挟持するために、接続部材４９を介して、上面部４１と下面部３１は接続される。
本実施形態では、第１下部回転止め３３ａと第１上部回転止め４３ａが、接続部材４９を介して接続される例を示す（図６、図７、図９、図１０参照）が、他の下部回転止めと上部回転止めも同じように接続部材４９を介して接続される形態であってもよい。
また、下部回転止めが鉛直方向上方に延びる形状を有し、接続部材４９を介さずに上部回転止めと接続される形態であってもよいし、上部回転止めが鉛直方向下方に延びる形状を有し、接続部材４９を介さずに下部回転止めと接続される形態であってもよい。
【００５９】
第１扉３４ａは、回転軸の下端が第１下孔３２ａに挿入され、回転軸の上端が第１上孔４２ａに挿入され、第１下部回転止め３３ａと第８下部回転止め３３ｈの間で回転自在な状態で、且つ第１上部回転止め４３ａと第８上部回転止め４３ｈの間で回転自在な状態で、下面部３１と上面部４１に挟持される。
第２扉３４ｂは、回転軸の下端が第２下孔３２ｂに挿入され、回転軸の上端が第２上孔４２ｂに挿入され、第２下部回転止め３３ｂと第１下部回転止め３３ａの間で回転自在な状態で、且つ第２上部回転止め４３ｂと第１上部回転止め４３ａの間で回転自在な状態で、下面部３１と上面部４１に挟持される。
第３扉３４ｃは、回転軸の下端が第３下孔３２ｃに挿入され、回転軸の上端が第３上孔４２ｃに挿入され、第３下部回転止め３３ｃと第２下部回転止め３３ｂの間で回転自在な状態で、且つ第３上部回転止め４３ｃと第２上部回転止め４３ｂの間で回転自在な状態で、下面部３１と上面部４１に挟持される。
第４扉３４ｄは、回転軸の下端が第４下孔３２ｄに挿入され、回転軸の上端が第４上孔４２ｄに挿入され、第４下部回転止め３３ｄと第３下部回転止め３３ｃの間で回転自在な状態で、且つ第４上部回転止め４３ｄと第３上部回転止め４３ｃの間で回転自在な状態で、下面部３１と上面部４１に挟持される。
【００６０】
第５扉３４ｅは、回転軸の下端が第５下孔３２ｅに挿入され、回転軸の上端が第５上孔４２ｅに挿入され、第５下部回転止め３３ｅと第４下部回転止め３３ｄの間で回転自在な状態で、且つ第５上部回転止め４３ｅと第４上部回転止め４３ｄの間で回転自在な状態で、下面部３１と上面部４１に挟持される。
第６扉３４ｆは、回転軸の下端が第６下孔３２ｆに挿入され、回転軸の上端が第６上孔４２ｆに挿入され、第６下部回転止め３３ｆと第５下部回転止め３３ｅの間で回転自在な状態で、且つ第６上部回転止め４３ｆと第５上部回転止め４３ｅの間で回転自在な状態で、下面部３１と上面部４１に挟持される。
第７扉３４ｇは、回転軸の下端が第７下孔３２ｇに挿入され、回転軸の上端が第７上孔４２ｇに挿入され、第７下部回転止め３３ｇと第６下部回転止め３３ｆの間で回転自在な状態で、且つ第７上部回転止め４３ｇと第６上部回転止め４３ｆの間で回転自在な状態で、下面部３１と上面部４１に挟持される。
第８扉３４ｈは、回転軸の下端が第８下孔３２ｈに挿入され、回転軸の上端が第８上孔４２ｈに挿入され、第８下部回転止め３３ｈと第７下部回転止め３３ｇの間で回転自在な状態で、且つ第８上部回転止め４３ｈと第７上部回転止め４３ｇの間で回転自在な状態で、下面部３１と上面部４１に挟持される。
【００６１】
第１開度維持部３５ａは、第１扉３４ａが第１下部回転止め３３ａに接するように付勢する部材で、本実施形態では、第１扉３４ａの上部と上面部３９の下面に接続される。
第２開度維持部３５ｂは、第２扉３４ｂが第２下部回転止め３３ｂに接するように付勢する部材で、本実施形態では、第２扉３４ｂの上部と上面部３９の下面に接続される。
第３開度維持部３５ｃは、第３扉３４ｃが第３下部回転止め３３ｃに接するように付勢する部材で、本実施形態では、第３扉３４ｃの上部と上面部３９の下面に接続される。
第４開度維持部３５ｄは、第４扉３４ｄが第４下部回転止め３３ｄに接するように付勢する部材で、本実施形態では、第４扉３４ｄの上部と上面部３９の下面に接続される。
第５開度維持部３５ｅは、第５扉３４ｅが第５下部回転止め３３ｅに接するように付勢する部材で、本実施形態では、第５扉３４ｅの上部と上面部３９の下面に接続される。
第６開度維持部３５ｆは、第６扉３４ｆが第６下部回転止め３３ｆに接するように付勢する部材で、本実施形態では、第６扉３４ｆの上部と上面部３９の下面に接続される。
第７開度維持部３５ｇは、第７扉３４ｇが第７下部回転止め３３ｇに接するように付勢する部材で、本実施形態では、第７扉３４ｇの上部と上面部３９の下面に接続される。
第８開度維持部３５ｈは、第８扉３４ｈが第８下部回転止め３３ｈに接するように付勢する部材で、本実施形態では、第８扉３４ｈの上部と上面部３９の下面に接続される。
【００６２】
本実施形態では、第１開度維持部３５ａ〜第８開度維持部３５ｈのそれぞれは、２本のアームと、当該２本のアームのなす角度θを変化出来る状態で当該２本のアームを接続する接続部と、一方のアームを扉に固定する第１固定部（開度維持部の一方の端部）と、他方のアームを上面部４１に固定する第２固定部（開度維持部の他方の端部）を有する。
【００６３】
また、アームの一方には、ガススプリングなど弾性部材と減衰機構を一体化させたものが設けられ、当該アームの長さが伸縮する。伸縮により、２本のアームのなす角度θを変化させることが出来る。
減衰機構は、弾性部材の振動を減衰させ、扉の急激な回転移動により回転止めなどの破損を防止するために使用される。
【００６４】
図５や図１１は、第１開度維持部３５ａが、２本のアーム（第１アーム３５ａ１、第２アーム３５ａ２）、接続部３５ａ３、第１固定部３５ａ４、第２固定部３５ａ５を有し、第１アーム３５ａ１が、減衰部材を含む弾性部材３５ａ６を設けた例を示すが、他の開度維持部（第２開度維持部３５ｂ〜第８開度維持部３５ｈ）も同様である。
【００６５】
なお、弾性部材と減衰機構は、一体のものであってもよいし、別体のものであってもよい。
たとえば、第１上部回転止め４３ａと第１扉３４ａの間に、減衰機構３５ａ７や、第１上部回転止め４３ａと第１扉３４ａとが近づく方向に付勢されたコイルバネ（弾性部材３５ａ８）が設けられる形態が考えられる（図１２、図１３参照）。
また、接続部３５ａ３に、２本のアーム（３５ａ１、３５ａ２）のなす角度θが小さくなる方向に付勢するねじりバネ（弾性部材３８ａ８）が設けられ、アームには、弾性部材の振動を減衰させて、扉の急激な移動による回転止めなどの破損を防止するため、減衰機構３５ａ７が設けられる形態も考えられる（図２３参照）。
【００６６】
風導入装置３０の外側から第１扉３４ａに当たる風の風速が所定の値（たとえば、３０ｍ／ｓ）を超える場合に、第１扉３４ａが第１下部回転止め３３ａに接する位置から第８下部回転止め３３ｈに接する位置へ回転移動し、当該所定の値以下の場合には、第１扉３４ａが第１下部回転止め３３ａに接した状態を維持するように、第１開度維持部３５ａに設けられた弾性部材のバネ定数が設定される。
風導入装置３０の外側から第２扉３４ｂに当たる風の風速が所定の値を超える場合に、第２扉３４ｂが第２下部回転止め３３ｂに接する位置から第１下部回転止め３３ａに接する位置へ回転移動し、当該所定の値以下の場合には、第２扉３４ｂが第２下部回転止め３３ｂに接した状態を維持するように、第２開度維持部３５ｂに設けられた弾性部材のバネ定数が設定される。
風導入装置３０の外側から第３扉３４ｃに当たる風の風速が所定の値を超える場合に、第３扉３４ｃが第３下部回転止め３３ｃに接する位置から第２下部回転止め３３ｂに接する位置へ回転移動し、当該所定の値以下の場合には、第３扉３４ｃが第３下部回転止め３３ｃに接した状態を維持するように、第３開度維持部３５ｃに設けられた弾性部材のバネ定数が設定される。
風導入装置３０の外側から第４扉３４ｄに当たる風の風速が所定の値を超える場合に、第４扉３４ｄが第４下部回転止め３３ｄに接する位置から第３下部回転止め３３ｃに接する位置へ回転移動し、当該所定の値以下の場合には、第４扉３４ｄが第４下部回転止め３３ｄに接した状態を維持するように、第４開度維持部３５ｄに設けられた弾性部材のバネ定数が設定される。
【００６７】
風導入装置３０の外側から第５扉３４ｅに当たる風の風速が所定の値を超える場合に、第５扉３４ｅが第５下部回転止め３３ｅに接する位置から第４下部回転止め３３ｄに接する位置へ回転移動し、当該所定の値以下の場合には、第５扉３４ｅが第５下部回転止め３３ｅに接した状態を維持するように、第５開度維持部３５ｅに設けられた弾性部材のバネ定数が設定される。
風導入装置３０の外側から第６扉３４ｆに当たる風の風速が所定の値を超える場合に、第６扉３４ｆが第６下部回転止め３３ｆに接する位置から第５下部回転止め３３ｅに接する位置へ回転移動し、当該所定の値以下の場合には、第６扉３４ｆが第６下部回転止め３３ｆに接した状態を維持するように、第６開度維持部３５ｆに設けられた弾性部材のバネ定数が設定される。
風導入装置３０の外側から第７扉３４ｇに当たる風の風速が所定の値を超える場合に、第７扉３４ｇが第７下部回転止め３３ｇに接する位置から第６下部回転止め３３ｆに接する位置へ回転移動し、当該所定の値以下の場合には、第７扉３４ｇが第７下部回転止め３３ｇに接した状態を維持するように、第７開度維持部３５ｇに設けられた弾性部材のバネ定数が設定される。
風導入装置３０の外側から第８扉３４ｈに当たる風の風速が所定の値を超える場合に、第８扉３４ｈが第８下部回転止め３３ｈに接する位置から第７下部回転止め３３ｇに接する位置へ回転移動し、当該所定の値以下の場合には、第８扉３４ｈが第８下部回転止め３３ｈに接した状態を維持するように、第８開度維持部３５ｈに設けられた弾性部材のバネ定数が設定される。
【００６８】
風導入装置３０の外側から、風導入装置３０の内側に向かって吹く風の風速が所定の値以下の場合は、当該風が扉を押す力が、開度維持部に設けられた弾性部材の付勢力を下回るので、第１扉３４ａ〜第８扉３４ｈは、いずれも開度が大きい状態で維持される。
この場合、第１扉３４ａ〜第８扉３４ｈに殆ど邪魔されずに、風が風車１０に送られる。
【００６９】
風導入装置３０の外側から、風導入装置３０の内側に向かって吹く風の風速が所定の値よりも大きい場合は、第１扉３４ａ〜第８扉３４ｈのうち、風が当たる部分のものは、当該風が扉を押す力が、弾性部材の付勢力を上回るので、開度が小さくなる方向に回転移動する（図８〜図１０参照）。
図８〜図１０は、図８の右上から左下に向かって吹く風を受けて、第４扉３４ｄ、第５扉３４ｅ、第６扉３４ｆが、開度が小さくなる方向に回転移動した状態を示す。
開度が小さくなった扉は、風車に向かって吹く風を遮る。
開度が小さくなった扉と当該扉の隣の扉の間から、風は入ってくるが、扉のいずれかの部分に衝突して風速が落ちるため、強風により風車１０が破損するのを防止出来る。
【００７０】
本実施形態では、電気部品を用いずに、弾性部材や減衰機構を使って、風の強さに応じた扉の開度調整を行うため、扉の開閉に電力を消費せずに済む。
【００７１】
また、開度維持部には弾性部材に加えて減衰機構が設けられているため、突風などで、急激に扉を回転させる力を受けても、衝撃を和らげることが出来るため、回転止めなどの破損を防止することも出来る。
【００７２】
また、本実施形態では、複数の部材（第１底部３１ａと第２底部３１ｂ）で構成された下面部３１を風車１０の下部に設置し、その上に複数の扉（第１扉３４ａ〜第８扉３４ｈ）を設置し、その上に上面部４１を設置して、風車１０を囲むように風導入装置３０を組み立てることが出来る。
このため、既に設置済みの風力発電システムに、風導入装置３０を後から簡単に設置することが可能になる。
【００７３】
次に、隣に位置する扉との連動開閉について説明する。
【００７４】
本実施形態では、複数の扉（第１扉３４ａ〜第８扉３４ｈ）は、別々に、風導入装置３０の外側から受ける風の強さによって開度が変動する形態を説明したが、隣に位置する扉について、開閉を連動させる機構（連結部材）を設ける形態であってもよい（図１４、図１５参照）。
【００７５】
具体的には、風導入装置３０は、第１扉３４ａと第２扉３４ｂと接続する第１連結部材４５ａ、第２扉３４ｂと第３扉３４ｃと接続する第２連結部材４５ｂ、第３扉３４ｃと第４扉３４ｄと接続する第３連結部材４５ｃ、第４扉３４ｄと第５扉３４ｅと接続する第４連結部材４５ｄ、第５扉３４ｅと第６扉３４ｆと接続する第５連結部材４５ｅ、第６扉３４ｆと第７扉３４ｇと接続する第６連結部材４５ｆ、第７扉３４ｇと第８扉３４ｈと接続する第７連結部材４５ｇ、第８扉３４ｈと第１扉３４ａと接続する第８連結部材４５ｈを有する。
【００７６】
それぞれの連結部材は、フックによる掛け止めなどで、両端が扉と接続される。
【００７７】
また、それぞれの連結部材は、紐状部材、弾性部材、シリンダーとピストンなど、両端を結ぶ直線距離が一定範囲内で変動可能な構造を有する。図１４と図１５は、それぞれの連結部材が、シリンダーとピストンで構成された形態を示す。
【００７８】
風導入装置３０の外側からの風を受けて、第５扉３４ｅの開度が小さくなると、第４連結部材４５ｄは短くなり、第５連結部材４５ｅは長くなる。
【００７９】
連結部材は一定範囲内を超えて短くは出来ないので、第４連結部材４５ｄは、他方で接続された第４扉３４ｄを開度が小さくなる方向に押す。
【００８０】
また、連結部材は一定範囲内を超えて長くは出来ないので、第５連結部材４５ｅは、他方で接続された第６扉３４ｆを開度が小さくなる方向に引っ張る。
【００８１】
これにより、第５扉３４ｅの開度が小さくなることにより、連動して隣の扉（第４扉３４ｄ、第６扉３４ｆ）の開度も小さくなる。
【００８２】
開度が小さくなった、第４扉３４ｄや第６扉３４ｆに風が当たると、更に、開度が小さくなる。
【００８３】
図１５は、連結部材による開閉連動により、連結部材を設けない形態（図８参照）に比べて、第３扉３４ｃと第７扉３４ｇの開度が小さくなった状態を示す。
【００８４】
これにより、強風が当たる側における開度を小さくする扉の数を多くすることが出来、強風により風車１０が破損するのを防止出来る。
また、この場合でも、強風が当たらない側の扉（図１５における第１扉３４ａなど）については、開度が大きい状態が維持され、風導入装置３０を介して風車１０へ風の導入が行われ、強風下でも発電を続けることが出来る。
【００８５】
また、電気部品を用いずに、連結部材を使って、風の強さに応じた扉の開度調整を行うため、扉の開閉に電力を消費せずに済む。
【００８６】
なお、連結部材は、シリンダーとピストンで構成されたものに限るものではなく、たとえば、紐状部材で構成される形態であってもよい（図１６参照）し、コイルバネなどの弾性部材で構成される形態であってもよい。
【００８７】
次に、制動部材を用いた風車１０の回転抑制について説明する。
【００８８】
強風時における風車１０の回転を抑制するために、８つの扉（第１扉３４ａ〜第８扉３４ｈ）には、さらに、８つの扉（第１扉３４ａ〜第８扉３４ｈ）のそれぞれについて、扉の開度が小さくなった時に、風車１０の軸１１の回転を抑制する制動部材（第１制動部材４７ａ〜第８制動部材４７ｈ）が設けられる形態であってもよい（図１７、図１８参照）。
【００８９】
具体的には、制動部材（第１制動部材４７ａ〜第８制動部材４７ｈ）のそれぞれは、軸１１の径方向に延び、開度が大きい状態の時は扉と接触せず、開度が小さい状態の時に当該扉と接触し、当該扉によって押し込まれ、軸１１に近い側の端部が軸１１と接触する。
【００９０】
制動部材は、下面部３１若しくは上面部４１に、軸１１の径方向に移動可能な状態で保持される。
【００９１】
また、軸１１における制動部材と対向する位置は、シャフトカバー１３を設けずに、制動部材と軸１１とが接触可能な状態にされる。
【００９２】
図１７と図１８は、制動部材のそれぞれが、軸１１の径方向に移動可能な状態で、下面部３１に保持される形態を示す。
【００９３】
図１７は、下面部３１に、第４扉３４ｄが取り付けられ、他の扉（第１扉３４ａ〜第３扉３４ｃ、第５扉３４ｅ〜第８扉３４ｈ）が下面部３１に取り付けられていない状態を示し、第４扉３４ｄの開度が大きい状態（第４扉３４ｄが、第３下部回転止め３３ｃと接触しない状態）を示す。
図１８は、下面部３１に、第４扉３４ｄが取り付けられ、他の扉（第１扉３４ａ〜第３扉３４ｃ、第５扉３４ｅ〜第８扉３４ｈ）が下面部３１に取り付けられていない状態を示し、第４扉３４ｄの開度が小さい状態（第４扉３４ｄが、第３下部回転止め３３ｃと接触する状態）を示す。
【００９４】
扉の開度が大きい状態では、扉が制動部材に接触しないので、制動部材は軸１１に接触せず、軸１１の回転を妨げない。
扉の開度が小さい状態では、扉が制動部材に接触し、扉が制動部材を軸１１の径方向で中心に向かって押し込み、これにより押し込まれた制動部材は軸１１に接触して、軸１１の回転を抑制する。
これにより、強い風が扉と扉の間から入り込み、扉の開度を小さくなっても風車１０の回転速度が高くなった場合に、制動部材がブレーキとして機能し、当該回転速度を低くして、風車１０の破損を防止出来る。
【００９５】
また、電気部品を用いずに、扉の開閉により動作制御される制動部材を使って、風車１０の回転抑制を行うため、当該回転抑制に電力を消費せずに済む。
【００９６】
本実施形態では、８つの扉（第１扉３４ａ〜第８扉３４ｈ）を介して、風導入装置３０の外側から吹き込んだ風は、上面部４１の中空部分を介して、排出される形態を説明したが、下面部３１に通気孔（第１通気孔３９ａ、第２通気孔３９ｂ）を設け、当該通気孔（第１通気孔３９ａ、第２通気孔３９ｂ）を介して、風が流れる形態であるのが望ましい（図１９、図２０参照）。
【００９７】
上面部４１だけでなく、下面部３１も開口することにより、側面から吹き込んだ風がスムーズに排出されやすいメリットがある。
【００９８】
特に、下面部３１の開口（第１通気孔３９ａ、第２通気孔３９ｂ）から流入する風によって、側面から吹き込んだ風が、上面部４１の開口部４１ａから排出されやすくなる。
【００９９】
この場合、第１底部３１ａや第２底部３１ｂと土台５０の間に、隙間を設けるため、下面部３１には、第１底部３１ａや第２底部３１ｂから下方向若しくは斜め下方向に突出する脚部３８が複数設けられる。
【０１００】
図１９や図２０に示すように、下部回転止めの幾つか（第２下部回転止め３３ｂ、第４下部回転止め３３ｄ、第６下部回転止め３３ｆ、第８下部回転止め３３ｈ）が、下方向にも突出して、当該脚部３８として機能する形態であってもよい。
【０１０１】
また、図２１や図２２に示すように、脚部３８は、シャフトカバー１３と接続する形態であってもよい。
なお、図２２は、風導入装置３０の内部構造を示すため、第２扉３４ｂと第２開度一部３５ｂの図示を省略している。
【０１０２】
また、風車１０の軸１１を上方から回転可能な状態で覆う上部シャフトカバー１４が設けられ、上面部４１を構成する円盤の中心から径方向に延びる支持アーム４１ｂを介して、上部シャフトカバー１４と上面部４１とが接続される形態であってもよい。
【符号の説明】
【０１０３】
１  風力発電装置
１０  風車
１１  軸
１３  シャフトカバー
１４  上部シャフトカバー
２０  発電機
３０  風導入装置
３１  下面部
３１ａ、３１ｂ  第１底部、第２底部
３２ａ〜３２ｈ  第１下孔〜第８下孔
３３ａ〜３３ｈ  第１下部回転止め〜第８下部回転止め
３４ａ〜３４ｈ  第１扉〜第８扉
３５  開度維持部
３５ａ〜３５ｈ  第１開度維持部〜第８開度維持部
３５ａ１、３５ａ２  第１アーム、第２アーム
３５ａ３  接続部
３５ａ４、３５ａ５  第１固定部、第２固定部
３５ａ６  減衰部材を含む弾性部材
３７ａ７  減衰部材
３５ａ８  弾性部材
３８  脚部
３９ａ、３９ｂ  第１通気孔、第２通気孔
４１  上面部
４１ａ  開口部
４１ｂ  支持アーム
４２ａ〜４２ｈ  第１上孔〜第８上孔
４３ａ〜４３ｈ  第１上部回転止め〜第８上部回転止め
４５ａ〜４５ｈ  第１連結部材〜第８連結部材
４７ａ〜４７ｈ  第１制動部材〜第８制動部材
４９  接続部材
５０  土台
【図１】
2017020348.tif 000003
【図２】
2017020348.tif 000004
【図３】
2017020348.tif 000005
【図４】
2017020348.tif 000006
【図５】
2017020348.tif 000007
【図６】
2017020348.tif 000008
【図７】
2017020348.tif 000009
【図８】
2017020348.tif 000010
【図９】
2017020348.tif 000011
【図１０】
2017020348.tif 000012
【図１１】
2017020348.tif 000013
【図１２】
2017020348.tif 000014
【図１３】
2017020348.tif 000015
【図１４】
2017020348.tif 000016
【図１５】
2017020348.tif 000017
【図１６】
2017020348.tif 000018
【図１７】
2017020348.tif 000019
【図１８】
2017020348.tif 000020
【図１９】
2017020348.tif 000021
【図２０】
2017020348.tif 000022
【図２１】
2017020348.tif 000023
【図２２】
2017020348.tif 000024
【図２３】
2017020348.tif 000025